【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
基地局に応用されるタイミングアドバンス指示方法において、
ＰＵＳＣＨ（Ｐｈｙｓｉｃａｌ  Ｕｐｌｉｎｋ  Ｓｈａｒｅｄ  Ｃｈａｎｎｅｌ）および／またはＰＵＣＣＨ（Ｐｈｙｓｉｃａｌ  Ｕｐｌｉｎｋ  Ｃｏｎｔｒｏｌ  Ｃｈａｎｎｅｌ）のサブキャリア間隔配置情報を端末に送信することと、
前記端末から前記サブキャリア間隔配置情報に基づいてフィードバックされるプリアンブルを受信することと、
前記プリアンブルに基づき、追跡エリアに対応するタイミングアドバンスの定量値を取得することと、
前記タイミングアドバンスの定量値を前記端末に送信することと、
を含む、タイミングアドバンス指示方法。
【請求項２】
前記プリアンブルに基づき、追跡エリアに対応するタイミングアドバンスの定量値を取得することは、
前記端末から送信されるＰＲＡＣＨ（Ｐｈｙｓｉｃａｌ  Ｒａｎｄｏｍ  Ａｃｃｅｓｓ  Ｃｈａｎｎｅｌ）の前記プリアンブルに基づき、追跡エリアに対応する参照タイミングアドバンスを推定することと、
前記参照タイミングアドバンスと前記サブキャリア間隔配置情報に基づき、前記タイミングアドバンスの定量値を取得することとを含む、請求項１に記載のタイミングアドバンス指示方法。
【請求項３】
前記参照タイミングアドバンスと前記サブキャリア間隔配置情報に基づき、前記タイミングアドバンスの定量値を取得することは、
前記サブキャリア間隔配置情報に基づき、タイミングアドバンスの時間定量化単位を取得することと、
前記参照タイミングアドバンスと前記タイミングアドバンスの時間定量化単位に基づき、前記タイミングアドバンスの定量値を取得することとを含む、請求項２に記載のタイミングアドバンス指示方法。
【請求項４】
前記の前記サブキャリア間隔配置情報に基づき、タイミングアドバンスの時間定量化単位を取得する前に、
端末に対し配置する１つまたは複数のコンポーネントキャリアを含むタイミングアドバンス群を、端末に対し１つまたは複数配置することをさらに含み、
前記の前記サブキャリア間隔配置情報に基づき、タイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することを含む、請求項３に記載のタイミングアドバンス指示方法。
【請求項５】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべてのアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む、請求項４に記載のタイミングアドバンス指示方法。
【請求項６】
前記の前記タイミングアドバンス群に含まれる１つまたは複数のコンポーネントキャリアのアップリンク帯域幅部分のサブキャリア間隔配置情報に基づき、前記タイミングアドバンス群に対応するタイミングアドバンスの時間定量化単位を取得することは、
前記タイミングアドバンス群に含まれる１つまたは複数のコンポーネントキャリアのアップリンク帯域幅部分のサブキャリア間隔配置情報に基づき、前記タイミングアドバンス群に含まれるすべてのコンポーネントキャリアのすべての活性化状態のアップリンク帯域幅部分のすべてのＰＵＳＣＨおよび／またはＰＵＣＣＨのサブキャリア間隔の最大値を取得することと、
前記サブキャリア間隔の最大値に基づき、前記タイミングアドバンス群に対応するタイミングアドバンスの時間定量化単位を取得することとを含む、請求項４に記載のタイミングアドバンス指示方法。
【請求項７】
前記サブキャリア間隔の最大値に基づき、前記タイミングアドバンス群に対応するタイミングアドバンスの時間定量化単位を取得することは、
前記サブキャリア間隔配置情報のうちのサブキャリア間隔と前記タイミングアドバンスの時間定量化単位との予め形成された対応関係では、前記サブキャリア間隔の最大値Ｓに対応する前記タイミングアドバンスの時間定量化単位Ｎをサーチすることを含む、請求項５または６に記載のタイミングアドバンス指示方法。
【請求項８】
前記参照タイミングアドバンスと前記タイミングアドバンスの時間定量化単位に基づき、前記タイミングアドバンスの定量値を取得することは、
前記参照タイミングアドバンスＴとサンプリング間隔との比に基づき、目標変換値Ｍを特定することと、
前記目標変換値Ｍと前記タイミングアドバンスの時間定量化単位Ｎに基づき、タイミングアドバンスの定量値Ｋを特定することとを含む、請求項３に記載のタイミングアドバンス指示方法。
【請求項９】
前記目標変換値Ｍと前記タイミングアドバンスの時間定量化単位Ｎに基づき、タイミングアドバンスの定量値Ｋを特定することは、
第１所定公式Ｋ＝Ｍ／Ｎで計算し、前記タイミングアドバンスの定量値Ｋを取得することを含む、請求項８に記載のタイミングアドバンス指示方法。
【請求項１０】
前記タイミングアドバンスの定量値を前記端末に送信することは、
前記タイミングアドバンスの定量値が付帯されたランダムアクセス応答メッセージを前記端末に送信することを含む、請求項１に記載のタイミングアドバンス指示方法。
【請求項１１】
端末に応用されるタイミングアドバンス指示方法において、
基地局から送信されるＰＵＳＣＨおよび／またはＰＵＣＣＨのサブキャリア間隔配置情報を受信することと、
前記サブキャリア間隔配置情報に基づき、プリアンブルを前記基地局にフィードバックすることと、
前記プリアンブルに基づいて取得される追跡エリアに対応するタイミングアドバンスの定量値を前記基地局から受信することと、
前記タイミングアドバンスの定量値と前記サブキャリア間隔配置情報に基づき、目標タイミングアドバンスを特定してアップリンクタイミング調整を行うことと、
を含む、タイミングアドバンス指示方法。
【請求項１２】
前記サブキャリア間隔配置情報に基づき、プリアンブルを前記基地局にフィードバックすることは、
受信した前記サブキャリア間隔配置情報に基づき、ＰＲＡＣＨの前記プリアンブルを前記基地局にフィードバックすることを含む、請求項１１に記載のタイミングアドバンス指示方法。
【請求項１３】
前記プリアンブルに基づいて取得される追跡エリアに対応するタイミングアドバンスの定量値を前記基地局から受信することは、
前記タイミングアドバンスの定量値が付帯されるランダムアクセス応答メッセージを前記基地局から受信し、前記タイミングアドバンスの定量値を取得することを含む、請求項１１に記載のタイミングアドバンス指示方法。
【請求項１４】
基地局に応用されるタイミングアドバンス指示装置において、
ＰＵＳＣＨおよび／またはＰＵＣＣＨのサブキャリア間隔配置情報を端末に送信するための第１送信モジュールと、
前記端末から前記サブキャリア間隔配置情報に基づいてフィードバックされるプリアンブルを受信するための第１受信モジュールと、
前記プリアンブルに基づき、追跡エリアに対応するタイミングアドバンスの定量値を取得するための取得モジュールと、
前記タイミングアドバンスの定量値を前記端末に送信するための第２送信モジュールと、
を含む、タイミングアドバンス指示装置。
【請求項１５】
端末に応用されるタイミングアドバンス指示装置において、
基地局から送信されるＰＵＳＣＨおよび／またはＰＵＣＣＨのサブキャリア間隔配置情報を受信するための第２受信モジュールと、
前記サブキャリア間隔配置情報に基づき、プリアンブルを前記基地局にフィードバックするためのフィードバックモジュールと、
前記プリアンブルに基づいて取得される追跡エリアに対応するタイミングアドバンスの定量値を前記基地局から受信するための第３受信モジュールと、
前記タイミングアドバンスの定量値と前記サブキャリア間隔配置情報に基づき、目標タイミングアドバンスを特定してアップリンクタイミング調整を行うための処理モジュールと、
を含む、タイミングアドバンス指示装置。